(57)【要約】【課題】必要な照射量を得るための運転時間が短縮され、利用効率の向上、荷電粒子ビームの照射コストの低減に有効な粒子加速器およびその運転方法、ならびにこの粒子加速器を備える粒子線照射治療装置の提供。【解決手段】荷電粒子をシンクロトロンに入射させる入射工程入射工程の後、荷電粒子をシンクロトロン内の周回軌道を周回させながら高周波加速空胴で所定のエネルギーまで加速または減速する加速または減速工程と、加速された荷電粒子をシンクロトロンから出射する出射工程とを行う取出しサイクルを複数回行い、各加速工程で荷電粒子を異なるエネルギーに加速し、加速または減速工程の取出しサイクルにおける出射工程で異なるエネルギーに加速された荷電粒子を出射する。【選択図】図２
2008226740.tif 000002
【特許請求の範囲】
【請求項１】
荷電粒子をシンクロトロンに入射させる入射工程と、入射された荷電粒子を前記シンクロトロン内の周回軌道を周回させながら高周波加速空胴で所定のエネルギーまで加速または減速する加速または減速工程と、加速された荷電粒子を前記シンクロトロンから出射する出射工程とを行う粒子加速器の運転方法であって、
前記入射工程の後、前記加速または減速工程と前記出射工程を行う取出しサイクルを複数回行い、各加速工程で荷電粒子を異なるエネルギーに加速し、当該加速または減速工程の取出しサイクルにおける出射工程で前記異なるエネルギーに加速された荷電粒子を出射することを特徴とする粒子加速器の運転方法。
【請求項２】
前記取出しサイクルを、前段の取出しサイクルにおける加速工程によって加速された荷電粒子のエネルギーＥ１と、前記前段に続く次段の取出しサイクルにおける加速工程によって加速された荷電粒子のエネルギーＥ２とが、Ｅ１＜Ｅ２の関係となるように加速工程の制御を行うことを特徴とする請求項１に記載の粒子加速器の運転方法。
【請求項３】
前記取出しサイクルを、前段の取出しサイクルにおける減速工程によって加速された荷電粒子のエネルギーＥ１と、前記前段に続く次段の取出しサイクルにおける減速工程によって減速された荷電粒子のエネルギーＥ２とが、Ｅ１＞Ｅ２の関係となるように減速工程の制御を行うことを特徴とする請求項１に記載の粒子加速器の運転方法。
【請求項４】
前記運転サイクルは、前段の取出しサイクルにおける加速工程によって加速された荷電粒子のエネルギーＥ１と、前記前段に続く次段の取出しサイクルにおける加速工程によって加速された荷電粒子のエネルギーＥ２とが、Ｅ１＜Ｅ２の関係となるように加速工程の制御を行うエネルギー上昇段階と、前記エネルギー上昇段階の後に、前段の取出しサイクルにおける加速工程によって加速された荷電粒子のエネルギーＥ１と、前記前段に続く次段の取出しサイクルにおける減速工程によって減速された荷電粒子のエネルギーＥ２とが、Ｅ１＞Ｅ２の関係となるように減速工程の制御を行うエネルギー降下段階とを含むことを特徴とする請求項１に記載の粒子加速器の運転方法。
【請求項５】
荷電粒子をシンクロトロン内に入射させる粒子入射部と、入射された荷電粒子を前記シンクロトロン内の周回軌道を周回させながら高周波加速空胴で所定のエネルギーまで加速する加速部と、加速された荷電粒子を前記シンクロトロンから出射させる粒子出射部と、前記粒子入射部、前記加速部および前記粒子出射部の動作を制御するコントローラとを備える粒子加速器であって、
前記コントローラは、前記粒子入射部による荷電粒子の入射を制御する入射制御手段と、前記加速部によって、前記シンクロトロン内での荷電粒子の加速を制御する加速制御手段と、前記粒子出射部によって、加速された荷電粒子の出射を制御する出射制御手段とを備え、前記加速制御手段と前記出射制御手段とは、荷電粒子の入射後、荷電粒子の加速と加速された荷電粒子の出射を行う取出しサイクルを複数回行い、各取出しサイクルにおいて、荷電粒子を異なるエネルギーに加速し、当該異なるエネルギーに加速された荷電粒子を出射可能とすることを特徴とする粒子加速器。
【請求項６】
請求項５に記載の粒子加速器と、当該粒子加速器から出射される荷電粒子を、粒子線ビームとして利用する照射部とを備えることを特徴とする粒子線照射装置。
【発明の詳細な説明】
【技術分野】
【０００１】
本発明は、粒子加速器およびその運転方法、ならびに粒子線照射治療装置に関する。
【背景技術】
【０００２】
近年、粒子加速器は、高エネルギー物理学の研究分野だけでなく、医療、工業、農業等の広範囲の分野で利用されている。例えば、医療分野では、癌細胞組織の粒子線照射による治療、放射性同位元素の生成等に用いられている。また、工業分野では、材料への照射による特性の向上、さらに、農業分野では種子照射による品種改良などに利用されている。特に、医療分野での癌治療において、陽子および重イオン等の荷電粒子を所望のエネルギー状態に加速し照射する粒子線癌治療は、従来のＸ線等を用いた放射線療法では治療が困難であった癌に対する治療効果が高く、かつ粒子線の線量分布をがん患部に合わせて調整することにより患部周辺の正常細胞の障害を最小限に抑えられるなどの優れた性質を有している。そのため、荷電粒子を所望のエネルギーに加速する粒子加速器の研究・開発および運転が行われている。
【０００３】
この粒子加速器の一種であるシンクロトロンは、円状に並べられた電磁石、高周波加速空胴等に荷電粒子を入射し、軌道半径を一定に保ちながら荷電粒子を所定のエネルギーにまで加速し、ビームとして出射するものである。
【０００４】
この粒子加速器において、イオン源で生成された荷電粒子は、粒子加速器の前段に配設された線形加速器により初段の加速が行われ、その後、シンクロトロンに入射される。入射された荷電粒子の運動は、シンクロトロン周回軌道上に設けられた偏向電磁石および四極電磁石等が発生する磁界により制御され、周回を繰り返す。周回軌道上を運動する荷電粒子は、シンクロトロン内に設けられた高周波加速空胴を通過する際に加速を受ける。加速に伴い電磁石の励磁量を増加させることで、粒子の軌道半径を一定に保つことができる。以上の手順を繰り返すことで荷電粒子を所望のエネルギーになるまで加速する。その後、加速された荷電粒子は、磁場一定の領域で粒子加速器から出射して粒子線ビームとして取り出される。取り出された粒子線ビームは、照射領域に導かれ、粒子線の照射による癌治療等の各種用途に利用される。
【０００５】
従来、このような粒子加速器電磁石の運転パターンは、図５に示すように制御されている。すなわち、シンクロトロン内への荷電粒子の入射が完了すると加速が開始される。このとき、荷電粒子の軌道半径を一定に保つため、シンクロトロンを構成する電磁石等の磁場強度を図５に示すパターンで制御する。つまり、高周波加速空胴による加速と共に荷電粒子のエネルギー状態に合わせてシンクロトロンを構成する電磁石等の励磁量を上昇させて、荷電粒子の周回軌道を一定に保ち、目的のエネルギーに達した時点で荷電粒子に作用する磁場を一定にする（蓄積過程）。その後、加速された荷電粒子は、磁場一定の段階で粒子加速器から取り出される。このように、従来の粒子加速器の運転方法では、入射→加速→出射を１サイクルとする運転パターンが繰り返される（特許文献１等参照）。
【特許文献１】特開平８−２９８２００号公報（請求項１、図１）
【発明の開示】
【発明が解決しようとする課題】
【０００６】
しかしながら、この従来の粒子加速器およびその運転方法では、入射→加速→出射の１回の運転サイクルで取り出される荷電粒子ビームは、加速工程での励磁量に基づく一つのエネルギー状態のみを有することになる。すなわち、従来の粒子加速器では、入射した荷電粒子を所定のエネルギーに加速するための電磁石（偏向電磁石、四極電磁石、その他の電磁石）の磁場強度（励磁量）は、図５に示すような台形状のパターンとなるように運転されている。そのため、出射される荷電粒子ビームのエネルギーは、荷電粒子の加速に用いる電磁石の磁場強度（励磁量：図５に示す台形の高さ）に応じて一つの数値に決まってしまうことになる。異なるエネルギーを有する荷電粒子ビームを得るためには、荷電粒子の加速に用いる電磁石の磁場強度を変更して台形パターンの高さを変えればよい。
【０００７】
しかし、前述のとおり、従来の粒子加速器の運転においては、１回の運転サイクルでは、出射される荷電粒子のビームエネルギーは一つに限定されてしまい、複数のエネルギーを持つ荷電粒子ビームを得ることはできないので、エネルギー変更のためには次の運転サイクルで磁場強度（台形パターンの高さ）を変えるしかない。したがって、異なるエネルギーの荷電粒子ビームを得るためには、少なくとも運転サイクルの１繰り返し周期分待つ必要があり、粒子加速器から出射する荷電粒子ビームのエネルギー量を複数回変える場合、上記の通り（エネルギー値の数）×（繰り返し周期）分の時間が最低限必要となる。これを、荷電粒子ビームを患部の腫瘍に照射してその治療を行う粒子線照射治療装置について考えてみると、患者に荷電粒子ビームが照射された場合、患者の体表から内部への荷電粒子ビームの到達深さは、荷電粒子ビームのエネルギー値によって決まる。体表からの深さ方向の腫瘍サイズに応じて、荷電粒子ビームのエネルギー値を変えて、荷電粒子ビームの到達深さを変える回数、すなわち、スライス数は、深さ方向の腫瘍サイズに依存するが、例えば、４０スライスを想定する。そして、粒子加速器の運転サイクルの繰り返し周期を３．３秒とすると、照射時間は最低でも４０×３．３＝１３２秒だけ要する。照射時間が長くなると患者への負担も増えるため、繰返し周期を待つことなく、連続して異なるエネルギー値の荷電粒子ビームを照射できれば、患者への負担を最小限にとどめることができる。
【０００８】
また、従来、照射する荷電粒子ビームのエネルギー量を変えるために、粒子加速器から取り出された荷電粒子ビームをバイナリフィルタと呼ばれる様々な厚みを持つＰＭＭＡ製の減速板を通してエネルギー値を調節していた。すなわち、バイナリフィルタをビームライン上に出し入れすることで、粒子のエネルギー値を調整している。ここで問題となるのが、フィルタの出し入れ時間、フィルタによるビーム散乱、フィルタ内での核反応による二次粒子の生成の問題である。すなわち、１回のバイナリフィルタの出し入れには数百ミリ秒を要する。したがって、この出し入れ時間が、スライス分必要である。例えば、４０スライス程度の照射を想定すると、バイナリフィルタの出し入れに要する時間だけで数十秒を要することになる。更にバイナリフィルタの出し入れの際には、ビームを止める必要もあり、そのための時間も要する。これは、照射時間の増加につながる。
【０００９】
また、バイナリフィルタを入れることにより、荷電粒子ビームは散乱する。その散乱により、狙ったターゲット（腫瘍）より広い範囲にビームが広がり、正常組織にまで照射されてしまう恐れがある。さらに、粒子加速器から出射される荷電粒子ビーム（１次ビーム）はバイナリフィルタを通過する際、ある確率で原子核反応を起こし、陽子、中性子をはじめとした２次粒子を生成させる。これら２次粒子は散乱角が大きいことや、広いエネルギー分布を持つことから、ターゲット外に照射されてしまうことがある。これは、荷電粒子ビームの線量分布を悪化させる原因となる。すなわち、１次ビームの以外の荷電粒子が実際の患部外に照射されてしまう可能性が高くなるなどの弊害がある。
【００１０】
そこで、本発明では、前記した問題を解決し、一回以上の運転サイクルで異なるエネルギー値を有する複数の荷電粒子ビームを出射可能とすることができ、必要な照射量を得るための運転時間が短縮され、利用効率の向上、荷電粒子ビームの照射コストの低減に有効な粒子加速器およびその運転方法、ならびにこの粒子加速器を備え、粒子加速器から出射される粒子線ビームを各種の照射用途に利用できる粒子線照射装置を提供することを目的とする。
【課題を解決するための手段】
【００１１】
前記課題を解決するため、請求項１の発明は、荷電粒子をシンクロトロンに入射させる入射工程と、入射された荷電粒子を前記シンクロトロン内の周回軌道を周回させながら高周波加速空胴で所定のエネルギーまで加速または減速する加速または減速工程と、加速された荷電粒子を前記シンクロトロンから出射する出射工程とを行う粒子加速器の運転方法であって、前記入射工程の後、前記加速または減速工程と前記出射工程を行う取出しサイクルを複数回行い、各加速工程で荷電粒子を異なるエネルギーに加速し、当該加速または減速工程の取出しサイクルにおける出射工程で前記異なるエネルギーに加速された荷電粒子を出射することを特徴とする。
【００１２】
この粒子加速器の運転方法では、入射工程の後、加速工程と出射工程を行う取出しサイクルを複数回行い、各加速工程で荷電粒子を異なるエネルギーに加速し、各加速工程の直後の出射工程で異なるエネルギーに加速された荷電粒子を出射可能とすることによって、各出射工程で、異なるエネルギーの荷電粒子ビームを取り出すことができる。
【００１３】
請求項２の発明は、前記取出しサイクルを、前段の取出しサイクルにおける加速工程によって加速された荷電粒子のエネルギーＥ１と、前記前段に続く次段の取出しサイクルにおける加速工程によって加速された荷電粒子のエネルギーＥ２とが、Ｅ１＜Ｅ２の関係となるように加速工程の制御を行うことを特徴とする。
【００１４】
この粒子加速器の運転方法では、前段の取出しサイクルにおける加速工程によって加速された荷電粒子のエネルギーＥ１と、前記前段に続く次段の取出しサイクルにおける加速工程によって加速された荷電粒子のエネルギーＥ２とが、Ｅ１＜Ｅ２の関係となるようにすることによって、各出射工程で順を追ってエネルギー値が高い荷電粒子ビームを取り出すことができる。
【００１５】
請求項３の発明は、前記取出しサイクルを、前段の取出しサイクルにおける減速工程によって加速された荷電粒子のエネルギーＥ１と、前記前段に続く次段の取出しサイクルにおける減速工程によって減速された荷電粒子のエネルギーＥ２とが、Ｅ１＞Ｅ２の関係となるように減速工程の制御を行うことを特徴とする。
【００１６】
この粒子加速器の運転方法では、前段の取出しサイクルにおける加速工程によって加速された荷電粒子のエネルギーＥ１と、前記前段に続く次段の取出しサイクルにおける減速工程によって減速された荷電粒子のエネルギーＥ２とが、Ｅ１＞Ｅ２の関係となるようにすることによって、各出射工程で順を追ってエネルギー値が低い荷電粒子ビームを取り出すことができる。
【００１７】
請求項４の発明は、前記運転サイクルは、前段の取出しサイクルにおける加速工程によって加速された荷電粒子のエネルギーＥ１と、前記前段に続く次段の取出しサイクルにおける加速工程によって加速された荷電粒子のエネルギーＥ２とが、Ｅ１＜Ｅ２の関係となるように加速工程の制御を行うエネルギー上昇段階と、前記エネルギー上昇段階の後に、前段の取出しサイクルにおける加速工程によって加速された荷電粒子のエネルギーＥ１と、前記前段に続く次段の取出しサイクルにおける減速工程によって減速された荷電粒子のエネルギーＥ２とが、Ｅ１＞Ｅ２の関係となるように減速工程の制御を行うエネルギー降下段階とを含むことを特徴とする。
【００１８】
この粒子加速器の運転方法では、エネルギー上昇段階で順を追ってエネルギー値が高い荷電粒子ビームを取り出すことができ、さらに、そのエネルギー上昇段階に続くエネルギー降下段階で順を追ってエネルギー値の低い荷電粒子ビームを取り出すことができる。
【００１９】
請求項５の発明は、荷電粒子をシンクロトロン内に入射させる粒子入射部と、入射された荷電粒子を前記シンクロトロン内の周回軌道を周回させながら高周波加速空胴で所定のエネルギーまで加速する加速部と、加速された荷電粒子を前記シンクロトロンから出射させる粒子出射部と、前記粒子入射部、前記加速部および前記粒子出射部の動作を制御するコントローラとを備える粒子加速器であって、前記コントローラは、前記粒子入射部による荷電粒子の入射を制御する入射制御手段と、前記加速部によって、前記シンクロトロン内での荷電粒子の加速を制御する加速制御手段と、前記粒子出射部によって、加速された荷電粒子の出射を制御する出射制御手段とを備え、前記加速制御手段と前記出射制御手段とは、荷電粒子の入射後、荷電粒子の加速と加速された荷電粒子の出射を行う取出しサイクルを複数回行い、各取出しサイクルにおいて、荷電粒子を異なるエネルギーに加速し、当該異なるエネルギーに加速された荷電粒子を出射可能とすることを特徴とする。
【００２０】
この粒子加速器では、粒子入射部による荷電粒子の入射を制御する入射制御手段と、加速部によって、シンクロトロン内での荷電粒子の加速を制御する加速制御手段と、粒子出射部によって、加速された荷電粒子の出射を制御する出射制御手段とを備えることによって、加速制御手段と出射制御手段とによって、荷電粒子の入射後、荷電粒子の加速と加速された荷電粒子の出射を行う取出しサイクルを複数回行い、各取出しサイクルにおいて、荷電粒子を異なるエネルギーに加速し、当該異なるエネルギーに加速された荷電粒子を出射して、各出射工程で、異なるエネルギーの荷電粒子ビームを取り出すことができる。
【００２１】
請求項６の発明の粒子線照射装置は、前記の粒子加速器と、当該粒子加速器から出射される荷電粒子を、粒子線ビームとして利用する照射部とを備えることを特徴とする。
【００２２】
この粒子線照射装置では、前記の粒子加速器と、当該粒子加速器から出射される荷電粒子を、粒子線ビームとして利用する照射部とを備えることによって、バイナリフィルタ等を用いずに、連続して異なるエネルギー値の荷電粒子ビームを照射できる。
【発明の効果】
【００２３】
本発明の粒子加速器およびその運転方法によれば、荷電粒子を一度入射した後、エネルギー値が異なる複数の荷電粒子ビームを取り出すことができる。そのため、照射する荷電粒子ビームのエネルギーを変えるため、従来、用いていたバイナリフィルタが不要となる。さらに、バイナリフィルタが不要となることによって、フィルタによる荷電粒子の散乱に起因する問題、例えば、荷電粒子ビームの照射ターゲットからの広がりによる問題、陽子、中性子をはじめとする２次粒子の生成等の問題を解消できる。
【００２４】
また、荷電粒子を一度入射した後、エネルギー値が異なる荷電粒子ビームを取り出すことができるため、従来の荷電粒子ビームの取り出しに際して、エネルギーの異なる荷電粒子ビームを得るために必要な時間に比べて大幅に短い時間でエネルギー値が異なる荷電粒子ビームを連続して取り出すことができる。そのため、所要の照射量を得るための運転時間が大幅に短縮できる。すなわち、一回の取出しサイクルで異なるエネルギー値を有する複数の荷電粒子ビームを出射することができ、必要な照射量を得るための運転時間が短縮され、利用効率の向上、荷電粒子ビームの照射コストの低減に有効である。
【００２５】
本発明の粒子線照射装置は、粒子加速器から出射される粒子線ビームを各種の照射用途に利用できる。例えば、粒子線を癌組織に照射して治療を行う粒子線照射治療装置では、粒子線がん治療におけるスキャニング照射や三次元照射を行う場合に大変有効である。これらの照射では、がん腫瘍を幾つかの深さ方向の層（スライス）に分割して放射線の照射を行うが、各スライスの深さはビームのエネルギーにより決定されるため、ビームエネルギーを逐次変更する必要がある。ビームエネルギーが次々と変更可能であるため、１回の運転サイクル程度で照射を完了することも可能である。照射時間を最小限に止めて患者への負担を軽減できる。
【発明を実施するための最良の形態】
【００２６】
次に、本発明の実施形態について、適宜図面を参照しながら詳細に説明する。図１は、本発明の実施形態に係る粒子線照射治療装置の構成を示す図であり、図２は、本実施形態に係る粒子加速器の運転方法を説明する図である。
【００２７】
図１に示す粒子線照射治療装置１は、荷電粒子入射系２、粒子加速器３、ビーム輸送系４および照射部５を備える。
【００２８】
荷電粒子入射系２は、荷電粒子を生成するイオン源２Ａと、１次線形加速器２Ｂと、２次線形加速器２Ｃとを備え、ある程度のエネルギー（例えば、約６ＭｅＶ／ｎ：光速の約１１％）に加速された荷電粒子を粒子加速器３に供給するものである。また、イオン源２Ａと、１次線形加速器２Ｂと、２次線形加速器２Ｃと、粒子加速器３とは、高真空に保たれた入射ビーム路ＶＬ１で連絡されている。
【００２９】
イオン源２Ａは、原子から電子を剥ぎ取ることでイオンを生成し、１次線形加速器２Ａにて加速可能な状態にするものである。イオン化される原子としては、例えば、陽子、ヘリウム、炭素、窒素、酸素、ネオン、シリコン、アルゴンなどを用いることができる。
【００３０】
１次線形加速器２Ｂは、イオン源２Ａから供給された荷電粒子を所定のエネルギーまで加速して、次の２次線形加速器２Ｃに供給するものであり、例えば、高周波の４極電場によって荷電粒子の加速と集束を行うＲＦＱライナックが用いられる。この１次線形加速器２Ｂによって、荷電粒子は、例えば、８００ｋｅＶ／ｎ(光速の約４％)程度に加速される。
【００３１】
線形加速器２Ｃは、線形加速器２Ｂによって加速された荷電粒子をさらに加速して、粒子加速器３の入射部２１に供給するものであり、例えば、アルバレライナックが用いられる。この２次線形加速器２Ｃによって、荷電粒子は、例えば、６ＭｅＶ／ｎ（光速の約１１％）程度に加速される。
【００３２】
粒子加速器３は、シンクロトロン（入射部３１、加速部３２、出射部３３）、およびコントローラ３４を備え、荷電粒子入射系２の２次線形加速器２Ｃから供給された荷電粒子を、さらに加速するものである。
【００３３】
入射部３１は、静電インフレクタ３１Ａと、入射セプタム電磁石３１Ｂと、４個のバンプ電磁石３１Ｃとを備える。
この入射部３１において、静電インフレクタ３１Ａ、入射セプタム電磁石３１Ｂ、およびバンプ電磁石３１Ｃによって、荷電粒子入射系２から入射された荷電粒子は、その軌道を偏向され、周回軌道ＷＲに沿って円環状の加速部３２に導入される。
【００３４】
加速部３２は、１２個の偏向電磁石３２Ａと、６個の収束四極電磁石３２Ｂと、７個の非収束電磁石３２Ｃと、高周波加速空胴３２Ｄとを、周回軌道ＷＲ上に円環状に配置して構成され、これらの偏向電磁石３２Ａと、収束四極電磁石３２Ｂと、非収束電磁石３２Ｃとによって発生する磁界によって、入射部３１から入射した荷電粒子を周回軌道ＷＲに沿って周回させるために、その運動方向を規制するものである。この加速部３２において、荷電粒子は、例えば、約８００ＭｅＶ／ｎ（光速の約８４％）のエネルギーまで加速される。
【００３５】
高周波加速空胴３２Ｄは、内部に設けられる加速ギャップ（図示せず）の間で発生する電界によって、周回軌道ＷＲ上を周回する荷電粒子を加速するものである。この高周波加速空胴３２Ｄにおいて、加速ギャップの間（図１に示す下から上）を通る荷電粒子は、上のギャップが負、下のギャップが正になる位相で高周波電界が印加され、これにより加速され、周回毎にエネルギーが増加していく。また、加速ギャップの間で発生する電界の位相を逆にすることによって、荷電粒子を減速することもできる。
このとき、偏向電磁石３２Ａ、収束四極電磁石３２Ｂおよび非収束電磁石３２Ｃは、高周波加速空胴３２Ｄにおける加速または減速に同期して、加速または減速された荷電粒子のエネルギーに応じて、荷電粒子が周回軌道ＷＲに沿った軌道を描くように磁場強度が制御される。
【００３６】
出射部３３は、静電デフレクタ３３Ａと、出射セプタム電磁石３３Ｂと、バンプ電磁石３３Ｃとで構成される。
この出射部３３において、静電デフレクタ３３Ａ、出射セプタム電磁石３３Ｂおよびバンプ電磁石３３Ｃによって、周回軌道ＷＲ上を周回する荷電粒子は、その軌道を変更されて加速部３２から出射して、荷電粒子ビームとしてビーム輸送系４に取り出される。
【００３７】
ビーム輸送系４は、出射ビーム輸送路ＶＬ２上に配置された収束四極電磁石４１と、偏向電磁石４２とを備える。
このビーム輸送系４は、収束四極電磁石４１によって荷電粒子ビームの発散を抑制するとともに、偏向電磁石４２により荷電粒子ビームを所定の方向に偏向させ、ビーム輸送路ＶＬ２を通って、照射部５に荷電粒子ビームを導くものである。照射部５においては、荷電粒子ビームを、例えば、患者の患部に照射して癌治療を行うことができる。
【００３８】
コントローラ３４は、荷電粒子入射系２（イオン源２Ａ、１次線形加速器２Ｂ、２次線形加速器２Ｃ）、粒子加速器３の入射部３１（静電インフレクタ３１Ａ、入射セプタム電磁石３１Ｂ、バンプ電磁石３１Ｃ）、加速部３２（偏向電磁石３２Ａ、収束四極電磁石３２Ｂ、非収束電磁石３２Ｃ、高周波加速空胴３２Ｄ）、出射部３３（静電デフレクタ３３Ａ、出射セプタム電磁石３３Ｂ、バンプ電磁石３３Ｃ）、ビーム輸送系４（収束四極電磁石４１、偏向電磁石４２）などを制御して、荷電粒子の生成、予備加速、粒子加速器３への入射、加速および荷電粒子ビームの出射、さらに、ビーム輸送系４を通った荷電粒子ビームの照射部５における照射を適正に行うものである。
【００３９】
なお、図１においては、１個の偏向電磁石３２Ａのみに制御信号線を接続した状態を図示し、他の偏向電磁石３２Ａ、収束四極電磁石３２Ｂ、非収束電磁石３２Ｃについては、コントローラ３４との制御信号線の接続を省略したが、実際は、これらの各電磁石についても、コントローラ３４と制御信号線によって接続され、コントローラ３４による磁場強度の励磁量および位相が制御されるものとする。
【００４０】
このとき、粒子線照射治療装置１においては、入射ビーム路ＶＬ１、周回軌道ＷＲ、および出射ビーム輸送路ＶＬ２の随所に荷電粒子のモニタを配置して、荷電粒子の軌道およびエネルギーを測定し、コントローラ３４にその測定結果をフィードバックすることによって、前記制御が行われる。
【００４１】
次に、この粒子線照射治療装置１における粒子加速器３の運転方法の第１実施形態について説明する。
この第１実施形態において、粒子加速器３は、図２に示すように、下記のＡ１、Ｂ１、Ｃ１、Ｂ２、Ｃ２、Ｂ３、Ｃ３、Ｂ４、Ｃ４、Ｄの各工程を行うように運転される。
（１）荷電粒子入射系２から所定のエネルギーに前加速された荷電粒子が入射部３１によって周回軌道ＷＲに入射するビーム入射工程Ａ１
（２）ビーム入射段階Ａ１に続いて、加速部３２において荷電粒子を偏向電磁石３２Ａ、収束四極電磁石３２Ｂ、非収束電磁石３２Ｃによって周回軌道を制御しながら高周波加速空胴３２Ｄで加速してエネルギーＥ１に加速する加速工程Ｂ１
（３）エネルギーＥ１に加速された荷電粒子を出射部３３からビーム輸送系４に出射する出射工程Ｃ１
（４）さらに、加速部３２において、残りの荷電粒子を偏向電磁石３２Ａ、収束四極電磁石３２Ｂ、非収束電磁石３２Ｃによって周回軌道を制御しながら高周波加速空胴３２Ｄで加速してエネルギーＥ２に加速する加速工程Ｂ２
（５）エネルギーＥ２に加速された荷電粒子を出射部３３からビーム輸送系４に出射する出射工程Ｃ２
（６）加速部３２において、残りの荷電粒子を偏向電磁石３２Ａ、収束四極電磁石３２Ｂ、非収束電磁石３２Ｃによって周回軌道を制御しながら高周波加速空胴３２Ｄで加速してエネルギーＥ３に加速する加速工程Ｂ３
（７）エネルギーＥ３に加速された荷電粒子を出射部３３からビーム輸送系４に出射する出射工程Ｃ３
（８）加速部３２において、残りの荷電粒子を加速してエネルギーＥ４に加速する加速工程Ｂ４
（９）エネルギーＥ４に加速された荷電粒子を出射部３３からビーム輸送系４に出射する出射工程Ｃ４
（１０）粒子加速器３の入射部３１（静電インフレクタ３１Ａ、入射セプタム電磁石３１Ｂ、バンプ電磁石３１Ｃ）、加速部３２（偏向電磁石３２Ａ、収束四極電磁石３２Ｂ、非収束電磁石３２Ｃ、高周波加速空胴３２Ｄ）、出射部３３（静電デフレクタ３３Ａ、出射セプタム電磁石３３Ｂ、バンプ電磁石３３Ｃ）の各電磁石を減磁して初期状態に戻す工程Ｄ
【００４２】
このように、本実施形態の運転方法においては、荷電粒子の入射の後、加速工程Ｂ１、出射工程Ｃ１、加速工程Ｂ２、出射工程Ｃ２、加速工程Ｂ３、出射工程Ｃ３、加速工程Ｂ４、および出射工程Ｃ４の順に、荷電粒子の加速および出射を繰り返すことによって、Ｃ１、Ｃ２、Ｃ３およびＣ４の各出射工程において、それぞれエネルギーＥ１、Ｅ２、Ｅ３およびＥ４に加速された荷電粒子からなる荷電粒子ビームを取り出すことができる。
【００４３】
このとき、コトローラ３４は、加速工程Ｂ１、Ｂ２、Ｂ３およびＢ４の各工程において、高周波加速空胴３２Ｄの加速ギャップにおける電界、ならびに偏向電磁石３２Ａ、収束四極電磁石３２Ｂおよび非収束電磁石３２Ｃの磁場強度を制御して、エネルギーＥ１、Ｅ２、Ｅ３およびＥ４をそれぞれ所望のエネルギー値にすることができる。また、コントローラ３４は、出射部３３の静電デフレクタ３３Ａ、出射セプタム電磁石３３Ｂ、バンプ電磁石３３Ｃの各電磁石を制御して、出射工程Ｃ１、Ｃ２、Ｃ３、Ｃ４の各出射段階において、出射部３３から出射する荷電粒子の出射量を制御することができる。
【００４４】
また、図３は、粒子加速器３の運転方法の第２実施形態を示す図である。
この第２実施形態において、粒子加速器３は、図３に示すように、入射工程Ａ１に続き、加速工程Ｂ１、出射工程Ｃ１、加速工程Ｂ２、出射工程Ｃ２、加速工程Ｂ３、出射工程Ｃ３、加速工程Ｂ４、出射工程Ｃ４、加速工程Ｂ５、出射工程Ｃ５、加速工程Ｂ６、出射工程Ｃ６、加速工程Ｂ７、および出射工程Ｃ７からなるエネルギー増加段階を行い、次に、減速工程Ｆ１、出射工程Ｃ８、減速工程Ｆ２、出射工程Ｃ９、減速工程Ｆ３、出射工程Ｃ１０、減速工程Ｆ４、出射工程Ｃ１１、減速工程Ｆ５および出射工程Ｃ１２からなるエネルギー減少段階を行うように運転される。
【００４５】
この運転方法において、エネルギー増加段階では、前記の第１実施形態と同様に、加速工程Ｂ１、出射工程Ｃ１、加速工程Ｂ２、出射工程Ｃ２、加速工程Ｂ３、出射工程Ｃ３、加速工程Ｂ４、出射工程Ｃ４、加速工程Ｂ５、出射工程Ｃ５、加速工程Ｂ６、出射工程Ｃ６、加速工程Ｂ７、および出射工程Ｃ７の順に、荷電粒子の加速および出射を繰り返すことによって、Ｃ１、Ｃ２、Ｃ３、Ｃ４、Ｃ５、Ｃ６、Ｃ７の各出射工程において、それぞれエネルギーＥ１、Ｅ２、Ｅ３、Ｅ４、Ｅ５、Ｅ６、Ｅ７に加速された荷電粒子からなる荷電粒子ビームを取り出すことができる。
【００４６】
また、エネルギー減少段階においては、下記のＦ１、Ｃ８、Ｆ２、Ｃ９、Ｆ３、Ｃ１０、Ｆ４、Ｃ１１、Ｆ５およびＣ１２の各工程を順を追って行うように運転される。
（１１）出射工程Ｃ７に続いて、加速部３２において荷電粒子を偏向電磁石３２Ａ、収束四極電磁石３２Ｂ、非収束電磁石３２Ｃによって周回軌道を制御しながら高周波加速空胴３２Ｄで減速してエネルギーＥ８に減速する減速工程Ｆ１
（１２）エネルギーＥ８に減速された荷電粒子を出射部３３からビーム輸送系４に出射する出射工程Ｃ８
（１３）さらに、加速部３２において、残りの荷電粒子を偏向電磁石３２Ａ、収束四極電磁石３２Ｂ、非収束電磁石３２Ｃによって周回軌道を制御しながら高周波加速空胴３２Ｄで減速してエネルギーＥ９に減速する減速工程Ｆ２
（１４）エネルギーＥ９に減速された荷電粒子を出射部３３からビーム輸送系４に出射する出射工程Ｃ９
（１５）加速部３２において、残りの荷電粒子を偏向電磁石３２Ａ、収束四極電磁石３２Ｂ、非収束電磁石３２Ｃによって周回軌道を制御しながら高周波加速空胴３２Ｄで減速してエネルギーＥ１０に減速する減速工程Ｆ３
（１６）エネルギーＥ１０に減速された荷電粒子を出射部３３からビーム輸送系４に出射する出射工程Ｃ１０
（１７）加速部３２において、残りの荷電粒子をエネルギーＥ１１に減速する減速工程Ｆ４
（１８）エネルギーＥ１１に減速された荷電粒子を出射部３３からビーム輸送系４に出射する出射工程Ｃ１１
（１９）加速部３２において、残りの荷電粒子をエネルギーＥ１２に減速する減速工程Ｆ４
（２０）エネルギーＥ１２に減速された荷電粒子を出射部３３からビーム輸送系４に出射する出射工程Ｃ１２
【００４７】
このように、第２実施形態の運転方法においては、荷電粒子の入射の後、エネルギー増加段階において、Ｃ１、Ｃ２、Ｃ３、Ｃ４、Ｃ５、Ｃ６およびＣ７の各出射工程において、それぞれエネルギーＥ１、Ｅ２、Ｅ３、Ｅ４、Ｅ５、Ｅ６およびＥ７に加速された荷電粒子からなる荷電粒子ビームを出射するとともに、次のエネルギー減少段階において、減速工程Ｆ１、出射工程Ｃ８、減速工程Ｆ２、出射工程Ｃ９、減速工程Ｆ３、出射工程Ｃ１０、減速工程Ｆ４、出射工程Ｃ１１、減速工程Ｆ４および出射工程Ｃ１２の順に、荷電粒子の減速および出射を行うことによって、Ｃ８、Ｃ９、Ｃ１０、Ｃ１１およびＣ１２の各出射工程において、それぞれエネルギーＥ８、Ｅ９、Ｅ１０、Ｅ１１、Ｅ１２の荷電粒子からなる荷電粒子ビームを取り出すことができる。
【００４８】
このとき、コトローラ３４は、エネルギー増加段階における加速工程Ｂ１、Ｂ２、Ｂ３、Ｂ４、Ｂ５、Ｂ６およびＢ７の各工程において、高周波加速空胴３２Ｄの加速ギャップにおける電界、ならびに偏向電磁石３２Ａ、収束四極電磁石３２Ｂおよび非収束電磁石３２Ｃの磁場強度を制御して、エネルギーＥ１、Ｅ２、Ｅ３、Ｅ４、Ｅ５、Ｅ６およびＥ７をそれぞれ所望のエネルギー値にすることができる。そして、コントローラ３４は、エネルギー減少段階における減速工程Ｆ１、Ｆ２，Ｆ３、Ｆ４およびＦ５の各工程において、高周波加速空胴３２Ｄの加速ギャップにおける電界、ならびに偏向電磁石３２Ａ、収束四極電磁石３２Ｂおよび非収束電磁石３２Ｃの磁場強度を制御して、エネルギーＥ８、Ｅ９、Ｅ１０、Ｅ１１およびＥ１２をそれぞれ所望のエネルギー値にすることができる。また、コントローラ３４は、出射部３３の静電デフレクタ３３Ａ、出射セプタム電磁石３３Ｂ、バンプ電磁石３３Ｃの各電磁石を制御して、エネルギー増加段階におけるＣ１、Ｃ２、Ｃ３、Ｃ４、Ｃ５、Ｃ６およびＣ７の各出射工程、ならびにエネルギー減少段階におけるＣ８、Ｃ９、Ｃ１０、Ｃ１１およびＣ１２の各出射工程において、出射部３３から出射する荷電粒子の出射量を制御することができる。
【００４９】
前記の粒子加速器の運転方法についての第１実施形態においては、荷電粒子の入射の後、Ｃ１、Ｃ２、Ｃ３およびＣ４の各出射工程において、それぞれエネルギーＥ１、Ｅ２、Ｅ３およびＥ４に加速された荷電粒子からなる荷電粒子ビームを取り出す方法について説明した。また、第２実施形態においては、荷電粒子の入射の後、エネルギー増加段階において、Ｃ１、Ｃ２、Ｃ３、Ｃ４、Ｃ５、Ｃ６およびＣ７の各出射工程において、それぞれエネルギーＥ１、Ｅ２、Ｅ３、Ｅ４、Ｅ５、Ｅ６およびＥ７に加速された荷電粒子からなる荷電粒子ビームを取り出し、次のエネルギー減少段階において、Ｃ８、Ｃ９、Ｃ１０、Ｃ１１およびＣ１２の各出射工程において、それぞれエネルギーＥ８、Ｅ９、Ｅ１０、Ｅ１１、Ｅ１２の荷電粒子からなる荷電粒子ビームを取り出す方法について説明した。しかし、本発明の粒子加速器の運転方法は、これらの形態に限定されず、加速工程および出射工程、また、減速工程および出射工程を組み合わせることによって、所望のエネルギーに加速または減速された荷電粒子からなる荷電粒子ビームを出射部３３から取り出すことができる。
【００５０】
なお、前記の第１実施形態および第２実施形態においては、いわゆる遅い取出しによって、粒子加速器から荷電粒子ビームを取り出す方法について説明したが、本発明は、遅い取出しに限定されず、本発明が、いわゆる早い取出しや、ＲＦ−ＫＯ取り出しなど、どの取り出し方法にも適用可能であることはもちろんである。その早い取出しは、前記セプタム電磁石、バンプ電磁石等を、他の電磁石、例えば、キッカー電磁石等に変更することで行うことができる。
【００５１】
次に、前記の第１実施形態に示す運転を行う粒子加速器３を備える粒子線照射治療装置１による癌細胞組織の粒子線照射治療について説明する。
図１に示す粒子線照射治療装置１においては、荷電粒子入射系２で生成および呼び加速された荷電粒子を粒子加速器３に入射して、前記運転方法によって、連続してエネルギー値の異なる荷電粒子に加速または減速して、粒子加速器３の出射部３３から、その荷電粒子からなる荷電粒子ビームを取り出し、ビーム輸送系４の収束四極電磁石４１および偏向電磁石４２によって荷電粒子ビームを照射部５に導き、照射部５に設けられた照射装置や回転ガントリ（図示せず）から、患者の癌細胞組織に荷電粒子ビームを照射して治療を行うものである。
【００５２】
この粒子線照射治療装置１の照射部５における荷電粒子ビームの照射治療について、前記の第１実施形態の粒子加速器の運転方法によって得られる荷電粒子ビームを用いる場合について説明する。ここで、説明を容易にするために、患者の体内に存在する癌細胞組織として、図４（ａ）に示す球状の癌細胞組織ＣＡに対する荷電粒子ビームの照射治療を例として説明する。図４（ａ）において、紙面上方に患者の体表面があるとする。
【００５３】
この粒子線照射治療装置１においては、粒子加速器３から、前記の第１実施形態の運転方法によって、エネルギーＥ１、Ｅ２、Ｅ３およびＥ４の異なるエネルギーの荷電粒子ビームを連続的に取り出し、これをビーム輸送系４を通って、照射部５において患者の癌細胞組織に照射することができる。これによって、照射される荷電粒子ビームは、そのエネルギーに応じて患者の体表面からの到達深さが決定される。すなわち、エネルギーＥ１、Ｅ２、Ｅ３およびＥ４に応じて、それぞれ図４（ｂ）に示すＺ方向の到達位置Ｚ１が決定される。一方、照射部５に設けたワブラー電磁石等によって、荷電粒子ビームの照射方向を偏向することによって、図４（ｃ）に示すＸ−Ｙ平面上の位置に荷電粒子ビームＱＢの到達位置を制御することができる。これによって、荷電粒子ビームＱＢの照射位置の座標（Ｘ１，Ｙ１，Ｚ１）が決定される。また、エネルギーが一定の場合、例えば、エネルギーＥ１の荷電粒子ビームＱＢを照射する場合、粒子加速器３のコントローラ３４によって、出射部３３の静電デフレクタ３３Ａ、出射セプタム電磁石３３Ｂ、バンプ電磁石３３Ｃの各電磁石を制御して、出射段階Ｃ１、Ｃ２、Ｃ３、Ｃ４の各出射段階において、出射部３３から出射する荷電粒子の出射量を制御することができる。これによって、Ｘ−Ｙ平面上の照射面積に応じた荷電粒子ビームの出射量を得ることができる。
【００５４】
したがって、荷電粒子ビームＱＢは、エネルギーおよびＸ−Ｙ平面上の照射方向を制御することによって、荷電粒子ビームＱＢの照射位置の座標（Ｘ１，Ｙ１，Ｚ１）を任意に変更することができ、これによって、立体形状（球状）の癌細胞組織ＱＢの全ての点にわたって、荷電粒子ビームＱＢを照射することが可能となる。また、コントローラ３４によって、荷電粒子ビームＱＢの出射量を制御することによって、各照射位置における荷電粒子ビームＱＢの照射量をも所望の値にすることができる。このように、荷電粒子ビームＱＢの照射位置の座標（Ｘ１，Ｙ１，Ｚ１）を連続的に変えることによって、癌細胞組織ＣＡの全体にわたって荷電粒子ビームＱＢをスキャンニングすることができる。このような荷電粒子ビームＱＢのスキャンニングは、図４（ａ）に示す球状の癌細胞組織ＣＡに限られず、癌細胞組織の立体形状に合わせて荷電粒子ビームの照射位置を制御することができる。
【００５５】
また、前記の第２実施形態の運転方法においては、粒子加速器３から取り出される荷電粒子ビームは、Ｃ１、Ｃ２、Ｃ３、Ｃ４、Ｃ５、Ｃ６およびＣ７の各出射段階において、それぞれエネルギーＥ１、Ｅ２、Ｅ３、Ｅ４、Ｅ５、Ｅ６およびＥ７を有し、さらに、続いて、Ｃ８、Ｃ９、Ｃ１０、Ｃ１１およびＣ１２の各出射段階において、それぞれエネルギーＥ８、Ｅ９、Ｅ１０、Ｅ１１、Ｅ１２の荷電粒子ビームを取り出すことができる。そして、このように順を追って段階的に高いエネルギーで取り出される荷電粒子ビームを利用すれば、粒子線照射治療装置１の治療部５において、さらに、照射部位の制御の自由度が増し、癌細胞組織の立体形状に合わせて荷電粒子ビームの照射位置を制御することができる。すなわち、荷電粒子ビームの到達深さおよび照射位置を、照射部位の形状、大きさ、周辺部位への影響を考慮して調整することが可能となる。
【００５６】
以上のとおり、本発明の粒子加速器およびその運転方法では、荷電粒子を一度入射した後、エネルギー値が異なる複数の荷電粒子ビームを取り出すことができる。そのため、従来の運転方法では、異なるエネルギーの荷電粒子ビームを得るためには、少なくとも運転サイクルの１繰り返し周期分待つ必要があったが、次の運転サイクルを待つことなく、連続して異なるエネルギーの荷電粒子ビームを取り出すことができるため、照射に要する時間を短縮することができる。これは、粒子線照射治療装置においては、照射時間を短くして患者への負担を最小限に止めることができる。また、従来、照射する荷電粒子ビームのエネルギー量を変えるために、粒子加速器から取り出された荷電粒子ビームをバイナリフィルタと呼ばれる様々な厚みを持つＰＭＭＡ製の減速板を通してエネルギー値を調節していたが、連続して、所望のエネルギーを有する荷電粒子ビームを得ることができるため、このバイナリフィルタが不要となる。このバイナリフィルタが不要となることによって、照射時間を短縮することができるとともに、フィルタによる荷電粒子の散乱に起因する問題、例えば、荷電粒子ビームの照射ターゲットからの広がりによる問題、陽子、中性子をはじめとする２次粒子の生成等の問題を解消できる。
【図面の簡単な説明】
【００５７】
【図１】粒子線照射治療装置の構成を示す概略図である。
【図２】本発明に係る粒子加速器の運転方法の第1実施形態を説明する図である。
【図３】本発明に係る粒子加速器の運転方法の第２実施形態を説明する図である。
【図４】本発明の粒子線照射治療装置における荷電粒子ビームによる癌細胞組織への照射を説明する図である。
【図５】従来の粒子加速器の運転方法を説明する図である。
【符号の説明】
【００５８】
１      粒子線照射治療装置
２      荷電粒子入射系
２Ａ    イオン源
２Ｂ    １次線形加速器
２Ｃ    ２次線形加速器
３      粒子加速器
３１    入射部
３１Ａ    静電インフレクタ
３１Ｂ    入射セプタム電磁石
３１Ｃ    バンプ電磁石
３２    加速部
３２Ａ    偏向電磁石
３２Ｂ    収束四極電磁石
３２Ｃ    非収束電磁石
３２Ｄ    高周波加速空胴
３３    出射部
３３Ａ    静電デフレクタ
３３Ｂ    出射セプタム電磁石
３３Ｃ    バンプ電磁石
３４    コントローラ
４      ビーム輸送系
４１      収束四極電磁石
４２      偏向電磁石
５      照射部
ＶＬ１  入射ビーム路
ＷＲ    周回軌道
ＶＬ２  出射ビーム輸送路
【図１】
2008226740.tif 000003
【図２】
2008226740.tif 000004
【図３】
2008226740.tif 000005
【図４】
2008226740.tif 000006
【図５】
2008226740.tif 000007